(57)【要約】【課題】パン・チルト駆動機構、更にはローテーション駆動機構を持つ撮像装置を制御する際に、所望の撮像方向にわかりやすく操作できるようにする。【解決手段】クライアント装置１３０の表示装置１７０には、ネットワークカメラ１１０から受信した撮像画像が表示されるエリア４００と、エリア４００の傍にパン・チルト操作部及びローテーション操作部が表示される。クライアント装置１３０は、ローテーション駆動機構の駆動に応じて、パン移動方向を示す矢印４１０、チルト移動方向を示す矢印４２０を回転させて表示する。【選択図】図１
2012023434.tif 000002
【特許請求の範囲】
【請求項１】
撮像装置、及び、前記撮像装置を制御する制御手段を有する撮影制御システムであって、
前記撮像装置は、
パン駆動するパン駆動手段と、
チルト駆動するチルト駆動手段と、
前記撮像装置そのもの或いは前記撮像装置が有する撮像手段を光軸まわりに回転させるローテーション駆動手段とを備え、
前記制御手段は、
前記パン駆動手段を操作するためのパン操作手段と、
前記チルト駆動手段を操作するためのチルト操作手段と、
前記ローテーション駆動手段を操作するためのローテーション操作手段と、
前記ローテーション駆動手段の駆動に応じて、前記パン駆動手段によるパン移動方向及び前記チルト駆動手段によるチルト移動方向を表示する表示制御手段とを備えたことを特徴とする撮影制御システム。
【請求項２】
前記表示制御手段は、前記撮像装置による撮像画像の傍に、又は、前記撮像装置による撮像画像に重畳させて、前記パン駆動手段によるパン移動方向及び前記チルト駆動手段によるチルト移動方向を表示することを特徴とする請求項１に記載の撮影制御システム。
【請求項３】
前記表示制御手段は、前記パン駆動手段によるパン移動方向及び前記チルト駆動手段によるチルト移動方向をそれぞれ矢印又はバーで示すことを特徴とする請求項１又は２に記載の撮影制御システム。
【請求項４】
撮像装置、及び、前記撮像装置を制御する制御手段を有する撮影制御システムであって、
前記撮像装置は、
パン駆動するパン駆動手段と、
チルト駆動するチルト駆動手段と、
前記撮像装置そのもの或いは前記撮像装置が有する撮像手段を光軸まわりに回転させるローテーション駆動手段とを備え、
前記制御手段は、
前記パン駆動手段を操作するためのパン操作手段と、
前記チルト駆動手段を操作するためのチルト操作手段と、
前記ローテーション駆動手段を操作するためのローテーション操作手段と、
前記パン駆動手段の駆動に応じて、前記ローテーション駆動手段によるローテーションの可動範囲を表示する表示制御手段とを備えたことを特徴とする撮影制御システム。
【請求項５】
撮像装置、及び、前記撮像装置を制御する制御手段を有する撮影制御システムであって、
前記撮像装置は、
パン駆動するパン駆動手段と、
チルト駆動するチルト駆動手段とを備え、
前記制御手段は、
前記パン駆動手段を操作するためのパン操作手段と、
前記チルト駆動手段を操作するためのチルト操作手段と、
前記チルト駆動手段の駆動に応じて、前記パン駆動手段によるパン移動方向を表示する表示制御手段とを備えたことを特徴とする撮影制御システム。
【請求項６】
前記表示制御手段は、前記パン駆動手段によるパン移動方向を矢印又はバーで示すとともに、前記チルト駆動手段の駆動に応じて前記矢印又は前記バーを直線状又は円弧状に表示することを特徴とする請求項５に記載の撮影制御システム。
【請求項７】
パン駆動するパン駆動手段と、チルト駆動するチルト駆動手段と、当該撮像装置そのもの或いは当該撮像装置が有する撮像手段を光軸まわりに回転させるローテーション駆動手段とを備えた撮像装置の制御装置であって、
前記パン駆動手段を操作するためのパン操作手段と、
前記チルト駆動手段を操作するためのチルト操作手段と、
前記ローテーション駆動手段を操作するためのローテーション操作手段と、
前記ローテーション駆動手段の駆動に応じて、前記パン駆動手段によるパン移動方向及び前記チルト駆動手段によるチルト移動方向を表示する表示制御手段とを備えたことを特徴とする撮影装置の制御装置。
【請求項８】
パン駆動するパン駆動手段と、チルト駆動するチルト駆動手段と、当該撮像装置そのもの或いは当該撮像装置が有する撮像手段を光軸まわりに回転させるローテーション駆動手段とを備えた撮像装置の制御装置であって、
前記パン駆動手段を操作するためのパン操作手段と、
前記チルト駆動手段を操作するためのチルト操作手段と、
前記ローテーション駆動手段を操作するためのローテーション操作手段と、
前記パン駆動手段の駆動に応じて、前記ローテーション駆動手段によるローテーションの可動範囲を表示する表示制御手段とを備えたことを特徴とする撮影装置の制御装置。
【請求項９】
パン駆動するパン駆動手段と、チルト駆動するチルト駆動手段とを備えた撮像装置の制御装置であって、
前記パン駆動手段を操作するためのパン操作手段と、
前記チルト駆動手段を操作するためのチルト操作手段と、
前記チルト駆動手段の駆動に応じて、前記パン駆動手段によるパン移動方向を表示する表示制御手段とを備えたことを特徴とする撮影装置の制御装置。
【請求項１０】
パン駆動するパン駆動手段と、チルト駆動するチルト駆動手段と、当該撮像装置そのもの或いは当該撮像装置が有する撮像手段を光軸まわりに回転させるローテーション駆動手段とを備えた撮像装置の制御方法であって、
前記ローテーション駆動手段の駆動に応じて、前記パン駆動手段によるパン移動方向及び前記チルト駆動手段によるチルト移動方向を表示するステップを有することを特徴とする撮影装置の制御方法。
【請求項１１】
パン駆動するパン駆動手段と、チルト駆動するチルト駆動手段と、当該撮像装置そのもの或いは当該撮像装置が有する撮像手段を光軸まわりに回転させるローテーション駆動手段とを備えた撮像装置の制御方法であって、
前記パン駆動手段の駆動に応じて、前記ローテーション駆動手段によるローテーションの可動範囲を表示するステップを有することを特徴とする撮影装置の制御方法。
【請求項１２】
パン駆動するパン駆動手段と、チルト駆動するチルト駆動手段とを備えた撮像装置の制御方法であって、
前記チルト駆動手段の駆動に応じて、前記パン駆動手段によるパン移動方向を表示することを特徴とする撮影装置の制御方法。
【請求項１３】
パン駆動するパン駆動手段と、チルト駆動するチルト駆動手段と、当該撮像装置そのもの或いは当該撮像装置が有する撮像手段を光軸まわりに回転させるローテーション駆動手段とを備えた撮像装置を制御するためのプログラムであって、
前記パン駆動手段を操作するためのパン操作手段と、
前記チルト駆動手段を操作するためのチルト操作手段と、
前記ローテーション駆動手段を操作するためのローテーション操作手段と、
前記ローテーション駆動手段の駆動に応じて、前記パン駆動手段によるパン移動方向及び前記チルト駆動手段によるチルト移動方向を表示する表示制御手段としてコンピュータを機能させるためのプログラム。
【請求項１４】
パン駆動するパン駆動手段と、チルト駆動するチルト駆動手段と、当該撮像装置そのもの或いは当該撮像装置が有する撮像手段を光軸まわりに回転させるローテーション駆動手段とを備えた撮像装置を制御するためのプログラムであって、
前記パン駆動手段を操作するためのパン操作手段と、
前記チルト駆動手段を操作するためのチルト操作手段と、
前記ローテーション駆動手段を操作するためのローテーション操作手段と、
前記パン駆動手段の駆動に応じて、前記ローテーション駆動手段によるローテーションの可動範囲を表示する表示制御手段としてコンピュータを機能させるためのプログラム。
【請求項１５】
パン駆動するパン駆動手段と、チルト駆動するチルト駆動手段とを備えた撮像装置を制御するためのプログラムであって、
前記パン駆動手段を操作するためのパン操作手段と、
前記チルト駆動手段を操作するためのチルト操作手段と、
前記チルト駆動手段の駆動に応じて、前記パン駆動手段によるパン移動方向を表示する表示制御手段としてコンピュータを機能させるためのプログラム。
【発明の詳細な説明】
【技術分野】
【０００１】
本発明は、パン・チルト駆動機構、更にはローテーション駆動機構を持つ撮像装置を制御するのに好適な撮影制御システム、撮像装置の制御装置及び方法、並びにプログラムに関する。
【背景技術】
【０００２】
従来、ネットワークカメラと、ネットワークカメラを制御するクライアント装置とを有する撮影制御システムがある。撮影制御システムでは、クライアント装置での操作により、ネットワークカメラのパン・チルト駆動機構を制御することができる。また、カメラそのもの或いはカメラが有する撮像ユニットを光軸まわりに回転させる光軸回転駆動機構（ローテーション駆動機構）を制御することができる。ネットワークカメラを壁掛設置した場合には（図３の３０４を参照）、パン・チルトを所望の撮像方向に合わせたときに、クライアント装置の表示装置に表示される撮像画像で被写体が斜めの状態となることがあるが、ローテーション駆動機構を持つことにより、これを正立状態に補正することができる。
【０００３】
例えば特許文献１では、雲台のパン駆動およびチルト駆動、ならびに撮像装置または撮像素子を光軸回りに回転させる光軸回転駆動を可能とする技術が開示されている。そして、特許文献１では、パン駆動およびチルト駆動を制御する雲台操作モードと、光軸回転駆動を制御する光軸回転操作モードとが選択可能となっている。
【先行技術文献】
【特許文献】
【０００４】
【特許文献１】特開２００７−１１４５０３号公報
【発明の概要】
【発明が解決しようとする課題】
【０００５】
上述の特許文献１に開示された従来技術では、雲台のパン駆動およびチルト駆動と、撮像装置または撮像素子のローテーション駆動との制御に際する煩雑な操作を解消して、操作性の向上を図ることを目的として、パン・チルト駆動とローテーション駆動とを別々に制御するようにしたものである。
【０００６】
しかしながら、特許文献１には、パン・チルト駆動機構及びローテーション駆動機構を持つネットワークカメラにおいて、撮像画像を見ながら所望のパン・チルト角度、ローテーション角度に合わせる操作に関しては開示されていない。
【０００７】
図１０を参照して、ローテーション駆動機構を駆動させたときのパン移動方向及びチルト移動方向について説明を行う。図１０（ａ）において、１０００は撮像画像、１０１０はパン移動方向、１０２０はチルト移動方向を示す。ローテーション駆動機構がセンター角度（０度角度）にあるときには、図１０（ａ）に示すようにパン移動方向１０１０は水平であり、チルト移動方向１０２０は垂直である。
【０００８】
ところが、ローテーション駆動機構がセンター角度でなく、いずれかの方向に回転された状態になると、図１０（ｂ）に示すように、パン移動方向１０１０は水平方向でなくなり、ローテーション角度に応じてある角度を持った方向に移動する。同様に、チルト移動方向１０２０も垂直方向でなくなり、ローテーション角度に応じてある角度を持った方向に移動する。
【０００９】
このようにローテーション駆動機構により、撮像画像を回転させることが可能となる。この状態では、パン駆動機構及びチルト駆動機構によるパン移動方向及びチルト移動方向がそれぞれ水平方向及び垂直方向ではなくなり、ローテーション角度に応じて斜め方向に変化することになる。この結果、パン、チルト、ローテーションの各駆動機構を使用して所望の撮像方向にセットしようとしたときに、パン・チルト駆動機構を動作させると、思った方向とは違う方向にカメラが動いてしまうことになる。特にローテーション角度が９０度のときには、パン移動方向とチルト移動方向とが入れ変ってしまう。また、ローテーション角度が１８０度に近いときには、パン移動方向が左右反対方向、チルト移動方向が上下反対方向となってしまう。
【００１０】
ここまで説明したように、パン・チルト駆動機構及びローテーション駆動機構を持つネットワークカメラにおいて撮像画像を見ながら所望の撮像方向に合わせようとしたときに、ユーザがパン移動方向やチルト移動方向を混乱してしまうおそれがある。例えば図１０（ｂ）に示す撮像画像１０００で被写体が正立状態にあるような場合、パン移動方向及びチルト移動方向がそれぞれ水平方向及び垂直方向であると錯覚してしまうようなことが想定される。その結果、ユーザは思った方向にカメラを移動させることができずに、所望の撮像方向に合わせることができない、という問題があった。
【００１１】
上述の特許文献１に開示された従来技術では、雲台のパン・チルト駆動と光軸回転駆動を別々に制御することにより、煩雑な操作を解消して、操作性の向上を図るようにしたものであるが、撮像画像を見ながら操作をする際の操作性に関しては言及されていない。
【００１２】
本発明は上記のような点に鑑みてなされたものであり、所望の撮像方向にわかりやすく操作できるようにすることを目的とする。
【課題を解決するための手段】
【００１３】
本発明の撮影制御システムは、撮像装置、及び、前記撮像装置を制御する制御手段を有する撮影制御システムであって、前記撮像装置は、パン駆動するパン駆動手段と、チルト駆動するチルト駆動手段と、前記撮像装置そのもの或いは前記撮像装置が有する撮像手段を光軸まわりに回転させるローテーション駆動手段とを備え、前記制御手段は、前記パン駆動手段を操作するためのパン操作手段と、前記チルト駆動手段を操作するためのチルト操作手段と、前記ローテーション駆動手段を操作するためのローテーション操作手段と、前記ローテーション駆動手段の駆動に応じて、前記パン駆動手段によるパン移動方向及び前記チルト駆動手段によるチルト移動方向を表示する表示制御手段とを備えたことを特徴とする。
【発明の効果】
【００１４】
本発明によれば、ローテーション駆動手段の駆動に応じてパン移動方向及びチルト移動方向が表示されたり、チルト駆動手段の駆動に応じてパン移動方向が表示されたりするので、所望の撮像方向にわかりやすく操作することが可能となる。
【図面の簡単な説明】
【００１５】
【図１】第１の実施形態に係る撮影制御システムの構成を示すブロック図である。
【図２】パン・チルト駆動機構及びローテーション駆動機構を持つネットワークカメラを示す図である。
【図３】ネットワークカメラの設置状態を説明するための図である。
【図４】第１の実施形態においてクライアント装置の表示装置に表示されるパン、チルト、ローテーション設定画面を説明する図である。
【図５】第１の実施形態においてクライアント装置が実行する処理を示すフローチャートである。
【図６】第１の実施形態においてネットワークカメラが実行する処理を示すフローチャートである。
【図７】クライアント装置の表示装置に表示されるパン、チルト、ローテーション設定画面の他の例を説明する図である。
【図８】第２の実施形態においてクライアント装置の表示装置に表示されるパン、チルト設定画面を説明する図である。
【図９】第２の実施形態においてクライアント装置が実行する処理を示すフローチャートである。
【図１０】ローテーション駆動機構を駆動させたときのパン移動方向及びチルト移動方向について説明するための図である。
【発明を実施するための形態】
【００１６】
以下、添付図面を参照して、本発明の好適な実施形態について説明する。
（第１の実施形態）
図１は、本発明の第１の実施形態に係る撮影制御システムの構成を示すブロック図である。１１０は撮像装置（ネットワークカメラ）である。１９０はＬＡＮ等のネットワークである。１３０は制御手段であるクライアント装置であり、ネットワークカメラ１１０の設定（操作）、撮像画像の表示、録画を制御する。クライアント装置１３０には、入力装置１５０、表示装置１７０が接続されている。
【００１７】
ネットワークカメラ１１０は、クライアント装置１３０との間でネットワーク１９０を介して通信を行い、受取ったコマンドに従ってＣＰＵ１１５により制御される。パン制御部１１２、チルト制御部１１３、ローテーション制御部１１４は、ＣＰＵ１１５の指示に基づいてパン、チルト、ローテーションの各駆動機構を動作させて撮影部１１１の撮像方向を制御する。撮影部１１１により撮像された映像信号は、映像処理部１１６により映像信号処理されてメモリ１１７に一旦記憶される。また、映像処理部１１６により映像信号処理された撮像画像は、ＣＰＵ１１５の制御の下、通信部１１８からネットワーク１９０を介してクライアント装置１３０に送信される。
【００１８】
クライアント装置１３０は、ＣＰＵ１３７の制御の下、ネットワークカメラ１１０から送信された撮像画像を通信部１３１で受信し、メモリ１３２に一旦記憶した後に映像表示制御部１３３に送り、表示装置１７０に表示する。更に、パン、チルト、ローテーションを所望の角度（位置）に制御するためのパン、チルト、ローテーション設定ＵＩ制御部１３６により表示装置１７０上に操作ボタン等のユーザインターフェースを表示するとともに、入力装置１５０よりパン、チルト、ローテーション駆動の操作を受け付ける。入力装置１５０より入力されたパン、チルト、ローテーション駆動の指示はパン、チルト、ローテーション設定ＵＩ制御部１３６に入力される。そして、ＣＰＵ１３７の制御の下、通信部１３１からパン・チルト駆動機構及びローテーション駆動機構を制御するコマンドとしてネットワークカメラ１１０に送信される。
【００１９】
図２は、パン・チルト駆動機構及びローテーション駆動機構を持つネットワークカメラ１１０を示す図である。図２（ａ）はカメラ１１０を側面側から見た図であり、パン駆動機構はボトムケース２０１とターンテーブル２０２で構成され、パン回転軸２０３を中心にターンテーブル２０２が回転する構造である。図２（ｂ）はカメラ１１０を正面側から見た図であり、チルト駆動機構はレンズ支柱２０４とケース２０６で構成され、チルト回転軸２０５を中心にケース２０６が回転する構造である。ローテーション駆動機構はケース２０６と撮像ユニット２０７で構成され、ローテーション回転軸（光軸）２０８を中心に撮像ユニット２０７が回転する構造である。
【００２０】
図３は、ネットワークカメラ１１０の設置状態（正立設置、天井設置、壁掛設置）を説明するための図である。３０２はネットワークカメラ１１０の正立設置を示し、３０３は天井設置を示し、３０４は壁掛設置を示す。図３に示すようにネットワークカメラ１１０を様々な場所に設置しても、パン、チルト、ローテーションの３つの駆動機構によって所望の撮影アングルに変更し、被写体を正立状態とすることが可能となる。
【００２１】
正立設置３０２では、撮像画像３０５のように、被写体３０１は正立状態で撮影される。天井設置３０３では、撮像画像３０６のように、被写体３０１が倒立状態で撮影されるが、映像信号の読み出し順を天地逆に変更することにより容易に正立状態の映像に変換することが可能である。壁掛設置３０４では、撮像画像３０７のように、パン・チルトを所望の撮像方向に合わせたときに被写体３０１が斜めの状態で撮影される。この斜めの状態で撮影された被写体３０１をローテーション駆動機構による撮像ユニット２０７の回転によって撮像画像３０８のように正立状態の映像に調整することが可能である。このように様々な設置状態において、特に壁掛設置３０４の際に上述したようにパン・チルトを所望の撮像方向に合わせたときに、撮像画像が画像３０７のように被写体が斜めの状態で撮影されてしまうために、これを補正するためにローテーション駆動機構を持っている。
【００２２】
図４は、クライアント装置１３０の表示装置１７０に表示されるパン、チルト、ローテーション設定（操作）画面を説明する図である。図４（ａ）において、４００はネットワークカメラ１１０から受信した撮像画像が表示されるエリアである。
【００２３】
エリア４００の傍には、パン・チルト操作部及びローテーション操作部が表示される。４１０はパン移動方向及び可動範囲を示す矢印、４１２はパン駆動機構の現在の位置を示すマーカー、４１４はパンを左側に駆動させるための操作ボタン、４１６はパンを右側に駆動させるための操作ボタンである。４２０はチルト移動方向及び可動範囲を示す矢印、４２２はチルト駆動機構の現在の位置を示すマーカー、４２４はチルトを上側に駆動させるための操作ボタン、４２６はチルトを下側に駆動させるための操作ボタンである。４３０はローテーション移動方向及び可動範囲を示す矢印、４３２はローテーション駆動機構の現在の位置を示すマーカー、４３４はローテーションを右回転に駆動させるための操作ボタン、４３６はローテーションを左回転に駆動させるための操作ボタンである。
【００２４】
図４（ａ）は、パン、チルト、ローテーションの各駆動機構がそれぞれ原点にいるときの設定画面を示す。例えば操作ボタン４１４を操作すると、パンを左側に駆動させるようにネットワークカメラ１１０にコマンドが送出され、ネットワークカメラ１１０ではコマンドに合わせてパン駆動機構が駆動し、左側に移動する。このパン駆動機構の移動に合わせてパン駆動機構の現在の位置を示すマーカー４１２が左側に移動して表示されるとともに、左側に移動して撮像された画像が撮像画像エリア４００に表示される。同様に、パンの右側駆動操作、チルトの上側、下側駆動操作、ローテーションの右回転、左回転駆動操作を行うと、操作に合わせたコマンドがネットワークカメラ１１０に送出され、ネットワークカメラ１１０ではコマンドに合わせて各駆動機構が駆動する。ネットワークカメラ１１０の各駆動機構が駆動すると、各駆動機構の駆動に合わせて、現在の位置を示すマーカーが移動して表示されるとともに、移動して撮像された撮像画像が撮像画像エリア４００に表示される。
【００２５】
図４（ｂ）は、パン・チルト駆動機構、及び、ローテーション駆動機構が駆動したときの設定画面の例を示す。図４（ａ）において、ローテーションを左回転方向に駆動させると、その駆動に合わせて撮像画像が左に回転する。この状態では、パン駆動、及び、チルト駆動を行ったときに撮像画像が移動する方向も左に回転する。すなわち、図４（ｂ）に示すように、パン移動方向及びチルト移動方向はそれぞれ矢印４１０、４２０の方向に変化する。そこで、パン、チルト、ローテーション設定画面上で、ローテーション駆動機構の駆動に応じて、パン移動方向を示す矢印４１０、チルト移動方向を示す矢印４２０を図４（ｂ）のように回転させて表示する。矢印４１０、４２０の回転に伴い、パン・チルト駆動機構の現在の位置を示すマーカー４１２、４２２、パンを駆動させるための操作ボタン４１４、４１６、チルトを駆動させるための操作ボタン４２４、４２６も図４（ｂ）のように表示する。
【００２６】
また、パンを例えば右側に駆動させると、パン駆動機構の回転により、ローテーション駆動の回転角度領域が一緒に回転する。そこで、パン、チルト、ローテーション設定画面上で、パン駆動機構の駆動に応じて、ローテーション移動方向及び可動範囲を示す矢印４３０を図４（ｂ）のように回転させて表示する。矢印４３０の回転に伴い、ローテーション駆動機構の現在の位置を示すマーカー４３２、ローテーションを駆動させるための操作ボタン４３４、４３６も図４（ｂ）のように表示する。
【００２７】
図５は、クライアント装置１３０が実行する処理を示すフローチャートである。図５において、パン、チルト、ローテーションの各駆動機構の設定（操作）を行うＰＴＲ設定モードに入る（ステップＳ１００）。ＰＴＲ設定では、図４に示したようなパン、チルト、ローテーション設定画面を表示し、ネットワークカメラ１１０に対するコマンド指示を行う。
【００２８】
次に、現在のローテーション角度に合わせてパン・チルト移動方向（矢印４１０、４２０）、パン・チルト位置（マーカー４１２、４２２）、操作ボタン（操作ボタン４１４、４１６、４２４、４２６）の表示を行う（ステップＳ１１０）。次に、ローテーション移動方向及び可動範囲（矢印４３０）、ローテーション位置（マーカー４３２）、操作ボタン（４３４、４３６）の表示を行う（ステップＳ１２０）。
【００２９】
次に、ローテーション操作があるか否かのチェックを行う（ステップＳ１３０）。ステップＳ１３０においてローテーション操作が行われた場合、ローテーション操作に合わせてネットワークカメラ１１０に駆動コマンドを送出した後（ステップＳ１４０）、ステップＳ１１０に戻る。すなわち、駆動したローテーション角度に合わせて、パン・チルト移動方向、パン・チルト位置、操作ボタンの表示を行い（ステップＳ１１０）、ローテーション移動方向、ローテーション位置、操作ボタンの表示を行って（ステップＳ１２０）、ユーザの操作待ちとなる（ステップＳ１３０）。
【００３０】
また、ステップＳ１３０においてローテーション操作が行われなかった場合、パン・チルト操作があるか否かのチェックを行う（ステップＳ１５０）。ステップＳ１５０においてパン・チルト操作が行われなかった場合、ステップＳ１３０に戻り、ユーザの操作待ちとなる。
【００３１】
ステップＳ１５０においてパン・チルト操作が行われた場合、パン・チルト操作に合わせてネットワークカメラ１１０に駆動コマンドを送出する（ステップＳ１６０）。そして、パン・チルト操作に合わせてパン・チルト位置の表示を行う（ステップＳ１７０）。次に、パン角度に合わせて、ローテーション移動方向及び可動範囲、ローテーション位置、操作ボタンの表示を行って（ステップＳ１８０）、ユーザの操作待ちとなる（ステップＳ１３０）。
【００３２】
図６は、ネットワークカメラ１１０が実行する処理を示すフローチャートである。図６において、ネットワークカメラ１１０は初期化を行う（ステップＳ２００）。この初期化には、パン、チルト、ローテーションの各駆動機構の初期化を含み、パン、チルト、ローテーションの各駆動機構の原点だし、及び、現在の位置を検出する。次に、パン、チルト、ローテーションの各駆動機構の現在の位置の情報をクライアント装置１３０に送信する（ステップＳ２１０）。
【００３３】
次に、撮像画像をクライアント装置１３０に送信開始する（ステップＳ２２０）。この状態で、ネットワークカメラ１１０はクライアント装置１３０からのコマンド受信待ちとなる（ステップＳ２３０）。クライアント装置１３０からコマンドが受信されると、コマンドに合わせてパン、チルト、ローテーションの駆動を行う（ステップＳ１４０）。パン、チルト、ローテーションの駆動を行った後、現在の位置をステータスとして送信する（ステップＳ２５０）。その後、ステップＳ２３０に戻り、コマンド受信待ちとなる。
【００３４】
以上述べたように、ローテーション回転によりパン移動方向及びチルト移動方向が変化することから、この移動方向を明示するようにした。これにより、ユーザがパン、チルト操作を行う際に、どちらの方向に撮像画像が移動するかが直感的に理解することが可能となる。したがって、より簡単に、スピーディに所望の方向に設定することが可能になる。更に、パン、チルトの移動を指示するための操作系をパン、チルトの移動方向に合わせて表示することにより、ユーザの操作と撮像画面の移動がより密接につながり、わかりやすい設定画面となった。また、パン角度に応じてローテンションの移動可能な回転角度領域を表示することにより、パン駆動機構の駆動により撮像画像が移動する中で、ローテーションの回転角度領域をユーザが理解することができる。これにより、左右いずれかの方向に回転させてローテーション角度を調整すればよいかを理解することが可能となり、より簡単にローテーション角度を調整可能とした。
【００３５】
パン、チルト、ローテーションの移動方向、及び、操作ボタンの表示方法は、図４に示した形態に限るものではない。例えば、図７（ａ）の例では、撮像画像が表示されるエリア４００においてパン操作方向を示す矢印５１０及びチルト操作方向を示す矢印５２０を撮像画像に重畳させて表示するものである。
【００３６】
また、図７（ｂ）の例では、撮像画像が表示されるエリア４００の傍に、パン移動方向及び可動範囲を示すバー５６０、並びに、チルト移動方向及び可動範囲を示すバー５７０が配置、表示される例である。これらバー５６０、５７０の中にそれぞれの現在の位置を示すマーカー５６２、５７２が表示される。また、バー５６０、５７０のそれぞれ両端に操作ボタンが配置される。なお、バー５６０、５７０の両端ではなく、バーの内側の任意の位置を指定して指示することも可能である。
【００３７】
（第２の実施形態）
第２の実施形態では、ネットワークカメラが少なくともパン、チルトの各駆動機構を持つ場合を説明する。なお、カメラ撮影制御システムの構成は図１に示したものと同様であり、ここではその説明を省略する。
【００３８】
パン、チルトの各駆動機構を持つネットワークカメラでは、図２に示したように、チルト回転軸２０５を中心としてケース２０６が回転する。また、パン回転軸２０３を中心としてターンテーブル２０２が回転する。チルト角度が０度（水平）のときにパン回転を行うと、撮像画像は水平方向に移動する。また、チルト角度が９０度（垂直上向き）のときにパン回転を行うと、撮像画像は画像のセンターを中心にして回転する。すなわち、ローテーションによる光軸回転と同様の動きとなる。チルト角度がこれらの間の角度、すなわち０〜９０度の間の場合には、パン回転を行うと光軸がチルト角度に応じた円錐の側面を回るために、撮像画像の動きは円弧状の動きとなる。
【００３９】
図８は、クライアント装置１３０の表示装置１７０に表示されるパン、チルト設定（操作）画面を説明する図であり、チルト角度に応じてパン移動方向を示すようになっている。上述したように、パン駆動機構が駆動したときの撮像画像の動き（移動方向）は、チルト角度に依存する。そこで、本実施形態では、パン移動方向を表示する際に、このチルト角度によってパン移動方向を表示するようにしたものである。
【００４０】
図８（ａ）は、チルト角度が０度のときの設定画面の図であり、８００はパン移動方向及び可動範囲を示す矢印、８０２はパン駆動機構の現在の位置を示すマーカー、８０４はパンを左側に駆動させるための操作ボタン、８０６はパンを右側に駆動させるための操作ボタンである。チルト角度が０度のときには、パン回転は水平方向に移動することから、パン移動方向を示す矢印８００は直線状に表示される。操作ボタン８０４、８０６は直線状に表示したパン移動方向を示す矢印８００の両端に配置される。
【００４１】
図８（ｄ）は、チルト角度が９０度のときの設定画面の図であり、パン回転は光軸を中心に円状に移動することから、パン移動方向を示す矢印８００は略円状の円弧状に表示される。
【００４２】
図８（ｂ）、（ｃ）は、チルト角度が０度と９０度との間のとき（例えば３０度と６０度のとき）の設定画面の図である。チルト角度が３０度、６０度のときには、パン回転時の移動方向は円弧状となることから、パン移動方向を示す矢印８００は円弧状に表示される。また、チルト駆動機構の可動範囲が０〜９０度を超えて、マイナス側に駆動可能な構造である場合、パン回転時の移動方向は図８（ｂ）〜（ｄ）とは逆の円弧状となることから、パン移動方向を示す矢印８００は図８（ｅ）のように表示される。
【００４３】
図９は、クライアント装置１３０が実行する処理を示すフローチャートである。図９において、パン、チルト、ローテーションの各駆動機構の設定（操作）を行うＰＴＲ設定モードに入る（ステップＳ３００）。ＰＴＲ設定では、パン、チルト、ローテーション設定画面を表示し、ネットワークカメラ１１０に対するコマンド指示を行う。
【００４４】
次に、現在のチルト角度に合わせてパン移動方向（直線状または円弧状の矢印８００）、パン位置（マーカー８０２）、操作ボタン（８０４、８０６）の表示を行う（ステップＳ３１０）。
【００４５】
次に、チルト操作があるか否かのチェックを行う（ステップＳ３２０）。ステップＳ３２０においてチルト操作が行われた場合、チルト操作に合わせてネットワークカメラ１１０に駆動コマンドを送出する（ステップＳ３３０）。その後、ステップＳ３１０に戻り、チルト角度に合わせてパン移動方向、パン位置、操作ボタンの表示を行う。
【００４６】
以上説明したように、チルト角度によってパン移動方向を直線状、円弧状に表示するので、ユーザがよりわかりやすく、より実感的に操作をすることが可能となった。
【００４７】
本実施形態では、パン・チルト設定画面上で、チルト角度に応じて、実際の撮像画像の移動に合わせてパン移動方向を直線状又は円弧状に明示するようにしたものである。更に、ローテーションと組み合わせて、第１の実施形態で説明を行ったローテーション角度に応じてパン移動方向を変化させるものと組み合わせて、ユーザに表示を行うことも可能である。これにより、ユーザがよりわかりやすく、より実感的に操作をすることが可能となる。
【００４８】
以上、本発明の好ましい実施形態について説明したが、本発明はこれらの実施形態に限定されず、本発明のパン、チルト、ローテーションの移動方向の表示形態、更には現在の位置の表示形態、操作系の表示形態、移動可能範囲の表示形態等は上記説明した方法に限るものではないことはいうまでもないことである。
【００４９】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００５０】
１１０：ネットワークカメラ、１１１撮影部、１１２：パン制御部、１１３：チルト制御部、１１４：ローテーション制御部、１１５：ＣＰＵ、１１６：映像処理部、１１７：メモリ、１１８：通信部、１３０：クライアント装置、１３１：通信部、１３２：メモリ、１３３：映像表示制御部、１３６：パン、チルト、ローテーション設定ＵＩ制御部、１３７：ＣＰＵ、１９０：ネットワーク、１５０：入力装置、１７０：表示装置
【図１】
2012023434.tif 000003
【図２】
2012023434.tif 000004
【図３】
2012023434.tif 000005
【図４】
2012023434.tif 000006
【図５】
2012023434.tif 000007
【図６】
2012023434.tif 000008
【図７】
2012023434.tif 000009
【図８】
2012023434.tif 000010
【図９】
2012023434.tif 000011
【図１０】
2012023434.tif 000012
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
光軸まわりに回転する撮像手段の前記光軸の向きを制御する撮影制御システムであって、
前記光軸の向きをパン方向又はチルト方向に駆動する駆動手段と、
前記撮像手段の回転角度に応じた、前記駆動手段により前記光軸の向きが駆動される方向を前記撮像手段が撮像した撮像画像と共に表示する表示制御手段とを備えたことを特徴とする撮影制御システム。
【請求項２】
前記表示制御手段は、前記撮像画像の傍に、又は、前記撮像画像に重畳させて、前記光軸の向きが駆動される方向を表示することを特徴とする請求項１に記載の撮影制御システム。
【請求項３】
前記表示制御手段は、前記光軸の向きが駆動される方向を矢印又はバーで示すことを特徴とする請求項１に記載の撮影制御システム。
【請求項４】
光軸まわりに回転する撮像手段の前記光軸の向きを制御する撮影制御システムであって、
前記光軸の向きをパン方向に駆動するパン駆動手段と、
前記パン駆動手段による駆動に応じた、前記撮像手段が回転可能な範囲を前記撮像手段が撮像した撮像画像と共に表示する表示制御手段とを備えたことを特徴とする撮影制御システム。
【請求項５】
撮像手段の光軸の向きを制御する撮影制御システムであって、
前記光軸の向きをパン方向に駆動するパン駆動手段と、
前記光軸の向きをチルト方向に駆動するチルト駆動手段と、
前記チルト駆動手段による駆動に応じた、前記パン駆動手段により前記光軸の向きが駆動される方向を前記撮像手段が撮像した撮像画像と共に表示する表示制御手段とを備えたことを特徴とする撮影制御システム。
【請求項６】
前記表示制御手段は、前記パン駆動手段により前記光軸の向きが駆動される方向を直線状又は円弧状の矢印又はバーで示すことを特徴とする請求項５に記載の撮影制御システム。
【請求項７】
前記表示制御手段は、前記パン駆動手段により光軸の向きが駆動される方向を示す矢印又はバーの端部に前記パン駆動手段を操作するための操作ボタンを表示させることを特徴とする請求項５に記載の撮影制御システム。
【請求項８】
光軸まわりに回転する撮像手段と、
前記光軸の向きをパン方向又はチルト方向に駆動する駆動手段とを有する撮影装置を制御する制御装置であって、
前記駆動手段を駆動させる指示を行う指示手段と、
前記撮像手段の回転角度に応じた、前記指示を受けた前記駆動手段により前記光軸の向きが駆動される方向を前記撮像手段が撮像した撮像画像と共に表示する表示制御手段とを備えたことを特徴とする制御装置。
【請求項９】
光軸まわりに回転する撮像手段と、
前記光軸の向きをパン方向に駆動するパン駆動手段とを有する撮影装置を制御する制御装置であって、
前記パン駆動手段を駆動させる指示を行う指示手段と、
前記指示を受けた前記パン駆動手段による駆動に応じた、前記撮像手段が回転可能な範囲を前記撮像手段が撮像した撮像画像と共に表示する表示制御手段とを備えたことを特徴とする制御装置。
【請求項１０】
撮像手段の光軸の向きをパン方向に駆動するパン駆動手段と、
前記光軸の向きをチルト方向に駆動するチルト駆動手段とを有する撮影装置を制御する制御装置であって、
前記パン駆動手段させる指示を行うパン指示手段と、
前記チルト駆動手段させる指示を行うチルト指示手段と、
前記指示を受けた前記チルト駆動手段による駆動に応じた、前記パン駆動手段により前記光軸の向きが駆動される方向を前記撮像手段が撮像した撮像画像と共に表示する表示制御手段を備えたことを特徴とする制御装置。
【請求項１１】
光軸まわりに回転する撮像手段と、
前記光軸の向きをパン方向又はチルト方向に駆動する駆動手段とを有する撮影装置の制御方法であって、
指示手段が、前記駆動手段を駆動させる指示を行う指示ステップと、
表示制御手段が、前記撮像手段の回転角度に応じた、前記指示を受けた前記駆動手段により前記光軸の向きが駆動される方向を前記撮像手段が撮像した撮像画像と共に表示する表示制御ステップとを有することを特徴とする撮影装置の制御方法。
【請求項１２】
光軸まわりに回転する撮像手段と、
前記光軸の向きをパン方向に駆動するパン駆動手段とを有する撮影装置の制御方法であって、
パン指示手段が、前記パン駆動手段を駆動させる指示を行うパン指示ステップと、
表示制御手段が、前記指示を受けた前記パン駆動手段による駆動に応じた、撮像手段が回転可能な範囲を前記撮像手段が撮像した撮像画像と共に表示する表示制御ステップとを有することを特徴とする撮影装置の制御方法。
【請求項１３】
撮像手段の光軸の向きをパン方向に駆動するパン駆動手段と、
前記光軸の向きをチルト方向に駆動するチルト駆動手段とを有する撮影装置の制御方法であって、
チルト指示手段が、前記チルト駆動手段を駆動させる指示を行うチルト指示ステップと、
表示制御手段が、前記指示を受けた前記チルト駆動手段による駆動に応じた、前記パン駆動手段により前記光軸の向きが駆動される方向を前記撮像手段が撮像した撮像画像と共に表示する表示制御ステップとを有することを特徴とする撮影装置の制御方法。
【請求項１４】
光軸まわりに回転する撮像手段と、
前記光軸の向きをパン方向又はチルト方向に駆動する駆動手段とを有する撮影装置に、
前記駆動手段を駆動させる指示を行う指示手順と、
前記撮像手段の回転角度に応じた、前記指示を受けた前記駆動手段により前記光軸の向きが駆動される方向を前記撮像手段が撮像した撮像画像と共に表示する表示制御手順とを実行させるためのプログラム。
【請求項１５】
光軸まわりに回転する撮像手段と、
前記光軸の向きをパン方向に駆動するパン駆動手段とを有する撮影装置に、
前記パン駆動手段を駆動させる指示を行うパン指示手順と、
前記指示を受けた前記パン駆動手段による駆動に応じた、前記撮像手段が回転可能な範囲を前記撮像手段が撮像した撮像画像と共に表示する表示制御手順を実行させるためのプログラム。
【請求項１６】
撮像手段の光軸の向きをパン方向に駆動するパン駆動手段と、
前記光軸の向きをチルト方向に駆動するチルト駆動手段とを有する撮影装置に、
前記チルト駆動手段を駆動させる指示を行うチルト指示手順と、
前記指示を受けた前記チルト駆動手段による駆動に応じた、前記パン駆動手段により前記光軸の向きが駆動される方向を前記撮像手段が撮像した撮像画像と共に表示する表示制御手順を実行させるためのプログラム。
【手続補正３】
【補正対象書類名】明細書
【補正対象項目名】０００１
【補正方法】変更
【補正の内容】
【０００１】
本発明は、パン・チルト駆動機構を持つ撮影装置を制御するのに好適な撮影制御システム、制御装置及び撮影装置の制御方法、並びにプログラムに関する。
【手続補正４】
【補正対象書類名】明細書
【補正対象項目名】００１３
【補正方法】変更
【補正の内容】
【００１３】
本発明の撮影制御システムは、光軸まわりに回転する撮像手段の前記光軸の向きを制御する撮影制御システムであって、前記光軸の向きをパン方向又はチルト方向に駆動する駆動手段と、前記撮像手段の回転角度に応じた、前記駆動手段により前記光軸の向きが駆動される方向を前記撮像手段が撮像した撮像画像と共に表示する表示制御手段とを備えたことを特徴とする。
【手続補正５】
【補正対象書類名】明細書
【補正対象項目名】００１４
【補正方法】変更
【補正の内容】
【００１４】
本発明によれば、所望の撮像方向にわかりやすく操作することが可能となる。